(57)【要約】      （修正有）【課題】紙幣の取り出し、及び収納操作が容易で、集計者、及び差出者への負担を軽減しうる金封袋構造を提供する。【解決手段】金封袋１０は、外側面部に熨斗が装着、若しくは印刷された熨斗紙部１３と、上記熨斗紙部１３の内側面部１４に配設され、紙幣１５を抜き差し可能に挟持して収納しうる紙幣収納部１６とを備える。上記紙幣収納部１６は、展開状態における熨斗紙部１３の幅方向の半部１３ａに設けられ、上記熨斗紙部１３の内側面部１４に固定された紙材からなる外側シート１７と、上記外側シート１７の内側面部１８に重なって配置されると共に、幅方向一端部１９と下端部２０おいて上記外側シート１７と接合された内側シート２１とから形成する。また、上記外側シート１７と上記内側シート２１との間に紙幣１５が挟持されて収納されると共に、上記外側シート１７と上記内側シート２１を、上端部２２及び幅方向他端部２３において互いに拡開させることによって、紙幣を取り出しうるように形成する。【選択図】図２
0003166068.tif 000002
【実用新案登録請求の範囲】
【請求項１】
冠婚葬祭時に授受される金封袋の構造であって、
外側面部に熨斗が装着、若しくは印刷された熨斗紙部と、上記熨斗紙部の内側面部に配設され、紙幣を抜き差し可能に挟持して収納しうる紙幣収納部とを備えることを特徴とする金封袋構造。
【請求項２】
上記紙幣収納部は、展開状態における熨斗紙部の幅方向の半部に設けられ、上記熨斗紙部の内側面部に固定された外側シートと、
上記外側シートの内側面部に重なって配置されると共に、幅方向一端部と下端部おいて上記外側シートと接合された内側シートとから形成され、
上記外側シートと上記内側シートとの間に紙幣が挟持されて収納されると共に、上記外側シートと上記内側シートを、上端部及び幅方向他端部において互いに拡開させることによって、収納された紙幣を取り出しうることを特徴とする請求項１記載の金封袋構造。
【請求項３】
上記外側シートは、一万円紙幣の長さ寸法及び幅寸法よりも、大きな長さ寸法及び幅寸法に形成されていることを特徴とする請求項２記載の金封袋構造。
【請求項４】
上記内側シートは、上記外側シートの幅寸法よりも所定寸法小さな幅寸法に形成されていることを特徴とする請求項３記載の金封袋構造。
【請求項５】
上記外側シートと上記内側シートは、紙材から形成されていることを特徴とする請求項２から請求項４記載の金封袋構造。
【考案の詳細な説明】
【技術分野】
【０００１】
本考案は、冠婚葬祭時に授受される金封袋において、内部に紙幣を収納するための金封袋構造に関する。
【背景技術】
【０００２】
結婚式、葬式等の冠婚葬祭行事において、ご祝儀若しくは香典を受け渡す場合、所謂祝儀袋、または不祝儀袋と称される金封に現金紙幣を収納して受け渡す。
【０００３】
図４に示すように、一般的な金封袋４０は、図４（ａ）に示すように、熨斗４１と水引４２が印刷、若しくは装着しうる熨斗紙部４３と、図４（ｂ）に示すように、紙幣を収納しうると共に、上記熨斗紙部に包まれる内封筒４４とから形成されている。
また、図４（ｂ）に示すように、上記内封筒４４の裏面側には、金封の差出者の氏名住所、電話番号等を記入しうる差出者情報記載欄４５と、上記内封筒４４に入れられた紙幣の合計金額を記載する金額記載欄４６が設けられている。
【０００４】
冠婚葬祭行事の終了後に集められた金額を集計する作業を行う場合には、熨斗紙部４３から内封筒４４を取り出し、上記内封筒４４の上端の開口部４７から、収納された紙幣を取り出し、金額の確認、集計作業を行っている。
図４（ｂ）に示すように、上記内封筒４４から紙幣を取り出す場合は、上記内封筒の上端の開口部４７を被覆する閉じ代部４８を開き、上記内封筒４４の上端の幅方向両端部を指で把持し、上記幅方向両端部を、幅方向中央部に向かって押すことによって上記開口部４７を開き、更に他方の手の指で内部の紙幣を摘んで取り出す作業が必要となる。
従って、金封袋の差出者が数十人、数百人の単位となる、葬式及び結婚式等の行事においては、開封作業に膨大な時間を要し、集計者への負荷が高く、集計者が肉体的、精神的に疲弊し、また、それに伴い集計ミスも発生し易くなるという不具合を有していた。
また、差出者が金封筒を準備する場合にも、上記内袋に紙幣を納めて封止した後に熨斗紙部で包むという手順が必要であり、非常に煩雑であるという不具合をも有していた。
【考案の開示】
【考案が解決しようとする課題】
【０００５】
本考案の解決する課題は、紙幣の取り出し、及び収納操作が容易で、集計者、及び差出者への負担を軽減しうる金封袋構造を提供することにある。
【課題を解決するための手段】
【０００６】
上記課題を解決するため、請求項１の考案に係る金封袋構造は、外側面部に熨斗が装着、若しくは印刷された熨斗紙部と、上記熨斗紙部の内側面部に配設され、紙幣を抜き差し可能に挟持して収納しうる紙幣収納部とを備えることを特徴とする。
従って、熨斗紙部を開き、上記熨斗紙部の内側面部に配設された紙幣収納部から紙幣を抜き取ることによって、収納された紙幣を簡単に取り出すことができる。
【０００７】
また、請求項２の考案に係る金封袋構造は、上記紙幣収納部は、展開状態における熨斗紙部の幅方向の半部に設けられ、上記熨斗紙部の内側面部に固定された外側シートと、上記外側シートの内側面部に重なって配置されると共に、幅方向一端部と下端部おいて上記外側シートと接合された内側シートとから形成され、上記外側シートと上記内側シートとの間に紙幣が挟持されて収納されると共に、上記外側シートと上記内側シートを、上端部及び幅方向他端部において互いに拡開させることによって、収納された紙幣を取り出しうることを特徴とする。
従って、外側シートと内側シートに挟持されている紙幣を抜き取ることによって、簡単に紙幣を取り出すことができる。
【０００８】
また、請求項３の考案に係る金封袋構造は、上記外側シートは、一万円紙幣の長さ寸法及び幅寸法よりも、大きな長さ寸法及び幅寸法に形成されていることを特徴とする。
従って、収納した紙幣が、熨斗紙部の外側から透過されにくい。
【０００９】
また、請求項４の考案に係る金封袋構造は、上記内側シートは、上記外側シートの幅寸法よりも所定寸法小さな幅寸法に形成されていることを特徴とする。
従って、熨斗紙部を開いた時点で、収納された紙幣の幅方向一端部を視認しうるため、取り出し操作前に金額を確認することができる。
【００１０】
また、請求項５の考案に係る金封袋構造は、上記外側シートと上記内側シートは、紙材から形成されていることを特徴とする。
【考案の効果】
【００１１】
請求項１の考案にあっては、外側面部に熨斗が装着、若しくは印刷された熨斗紙部と、上記熨斗紙部の内側面部に配設され、紙幣を抜き差し可能に挟持して収納しうる紙幣収納部とを備えることから、熨斗紙部を広げ、紙幣を抜き取る操作のみで、収納された紙幣を取り出すことができるため、紙幣の取り出し、及び収納操作が容易で、集計者、及び差出者への負担を軽減しうる金封袋構造を提供することができる。
【００１２】
また、請求項２の考案にあっては、上記紙幣収納部は、展開状態における熨斗紙部の幅方向の半部に設けられ、上記熨斗紙部の内側面部に固定された外側シートと、上記外側シートの内側面部に重なって配置されると共に、幅方向一端部と下端部おいて上記外側シートと接合された内側シートとから形成され、上記外側シートと上記内側シートとの間に紙幣が挟持されて収納されると共に、上記外側シートと上記内側シートを、上端部及び幅方向他端部において互いに拡開させることによって、収納された紙幣を取り出しうることから、紙幣の取り出し操作及び収納操作がより容易となると共に、上記外側シートと上記内側シートの下端部が互いに接合されているため、熨斗紙部を開いた場合に、上記紙幣収納部に収納した紙幣が滑り落ちることが無い。
【００１３】
また、請求項３の考案にあっては、上記外側シートは、一万円紙幣の長さ寸法及び幅寸法よりも、大きな長さ寸法及び幅寸法に形成されていることから、収納した紙幣が、熨斗紙部の外側から透過され難く、他人に収納金額を知られる虞が無い。
【００１４】
また、請求項４の考案にあっては、上記内側シートは、上記外側シートの幅寸法よりも所定寸法小さな幅寸法に形成されていることから、紙幣を取り出す前に、収納された紙幣の種類、金額が認識できるため、集計作業がより迅速になる。
【００１５】
また、請求項５の考案にあっては、上記外側シートと上記内側シートは、紙材から形成されていることから、加工が容易であると共に、製造コストが低い。
【図面の簡単な説明】
【００１６】
【図１】本考案の一実施の形態を示し、本実施例の形態の金封袋構造における（ａ）は熨斗紙部の内側面部の形態を示す平面図、（ｂ）は熨斗紙部の外側面部の形態を示す平面図である。
【図２】本考案の一実施の形態を示し、本実施例の形態の金封袋構造において紙幣を収納した状態の熨斗紙部の内側面部形態を示す斜視図である。
【図３】従来の金封袋の構成を示し、（ａ）は熨斗紙部の外側面部の平面図、（ｂ）は内封筒の裏面側平面図である。
【考案を実施するための最良の形態】
【００１７】
本考案を実施するための形態について、以下添付図面を用いて説明する。
図１に示すように、本実施例に係る金封袋１０の構造は、図１（ａ）に示すように、外側面部１１に熨斗１２が装着、若しくは印刷された熨斗紙部１３と、上記熨斗紙部１３の内側面部１４に配設され、紙幣１５（図１には図示せず）を抜き差し可能に挟持して収納しうる紙幣収納部１６とを備えている。
【００１８】
上記紙幣収納部１６は、展開状態における熨斗紙部１３の幅方向の半部１３ａに設けられ、上記熨斗紙部１３の内側面部１４に固定された紙材からなる外側シート１７と、上記外側シート１７の内側面部１８に重なって配置されると共に、幅方向一端部１９と下端部２０おいて上記外側シート１７と接合された内側シート２１とから形成され、図２に示すように、上記外側シート１７と上記内側シート２１との間に紙幣１５が挟持されて収納されると共に、上記外側シート１７と上記内側シート２１を、上端部２２及び幅方向他端部２３において互いに拡開させることによって、収納された紙幣を取り出しうるように形成されている。
また、上記外側シート１７は、一万円紙幣の長さ寸法及び幅寸法よりも、大きな長さ寸法及び幅寸法に形成されると共に、上記内側シート２１は、上記外側シート１７の幅寸法よりも所定寸法小さな幅寸法に形成されている。
【実施例】
【００１９】
本実施例の構成について、添付図面を用いて説明する。
図１（ａ）は、本実施例の形態の金封袋構造における熨斗紙部の内側面部の形態、（ｂ）は熨斗紙部の外側面部の形態を示す平面図である。
本実施例にあっては、図１（ｂ）に示すように、本実施例に係る金封袋１０の熨斗紙部１３は、外側面部１１の上半部において幅方向やや一端部寄りに貼設された熨斗１２と、上記熨斗１２の下方に印刷された水引３０とを備えている。
【００２０】
また、図１（ａ）に示すように、上記熨斗紙部１３の上端部には、折り曲げ線２４を介して内側に折り曲げられる上端折曲げ代部２５が延設されると共に、下端部には、折り曲げ線２６を介して内側に折り曲げられる下端折曲げ代部２７が延設され、幅方向一端部には、折り曲げ線２８を介して内側に折り曲げられる側端折曲げ代部２９が延設されている。
また、紙幣収納部１６の外側シート１７と内側シート２１は、熨斗紙部１３の幅方向一端側半部１３ａに配設され、上記外側シート１７は幅方向一端部において、上記折り曲げ線２８に沿って上記熨斗紙部１３の内側面部１４に固定されている。
また、上記内側シート２１の反外側シート１７側面部３２には、差出者の住所氏名等を記載する差出者情報記載欄３３印刷されてると共に、上記差出者情報記載欄３３の下方には、収納した金額を記入する金額記入欄３４が印刷されている。
なお、上記外側シート１７は、熨斗紙部部１３との当接面部全域において貼設固定することもできる。
【００２１】
また、上記外側シート１７は、現行において最大のサイズを有する１万円紙幣よりも大きな幅寸法及び長さ寸法に形成されているが、将来的に、現行の一万円紙幣を超える大きさ寸法を有する紙幣が流通した場合は、当該紙幣に合わせて、外側シート１７の大きさ寸法を適宜調整できる。
【００２２】
また、上記内側シート２１の幅寸法は上記外側シート１７の幅寸法よりも７〜１０ｍｍ程度短く形成されている。
上記内側シート２１の幅寸法は、図２に示すように紙幣１５を上記紙幣収納部１６に収納した状態で紙幣１５の幅方向端部に印刷されている金額数値３１が視認しうる範囲で適宜調整することができる。
【００２３】
本実施例の作用について説明する。
図２に示すように、紙幣１５を取り出す場合は、上記熨斗紙部１３の上記上端折曲げ代部２５、下端折り曲げ代部２７、及び側端折曲げ代部２９を開いて拡げ、内側面部１４に配設された、上記紙幣収納部１６の内側シート２１の幅方向他端部２３の上端部を一方の手指で把持して持ち上げ、上記紙幣収納部１６を拡開し、他方の手指で紙幣１５を摘んで引き抜くことによって、簡単に取り出すことができる。
従って、従来の形態の金封筒と比較して、紙幣の取り出し操作が極めて迅速、且つ容易に行うことができる。
【００２４】
また、上記内側シート２１の幅寸法が上記外側シート１７の幅寸法よりも７〜１０ｍｍ程度短く形成されているため、引き抜き操作の前に、収納されている紙幣１５の金額を把握できるので、金額集計を迅速に行うことができる。
更に、上記外側シート１７と上記内側シート２１の下端部が互いに接合されているため、熨斗紙部を開いた場合に、上記紙幣収納部に収納した紙幣が滑り落ちない。
【００２５】
更に、紙幣１５を収納する場合についても、上記内側シート２１の幅方向他端部２３の上端部２２を一方の手指で把持して持ち上げ、上記外側シート１７と内側シート２１との間に紙幣１５を差し入れ、上記折り曲げ線２４、２６、２８に沿って、上記上端折曲げ代部２５、下端折り曲げ代部２７、側端折曲げ代部２９を、上記熨斗紙部１３の内側方向に順次折り曲げることによって金封袋１０が完成する。
従って、従来の内封筒に収納する場合と比較して、紙幣１５の収納操作を極めて迅速、且つ容易に行うことができる。
【００２６】
なお、熨斗及び水引の大きさ、デザインは本実施例に限定されず、熨斗紙部及び紙幣収納部の内側シート及び外側シートの大きさについても、本考案の要件を満たす範囲で適宜変更しても、本実施例と同様の作用効果を得ることができる。
【産業上の利用可能性】
【００２７】
本考案は、冠婚葬祭時に授受される金封袋において、内部に紙幣を収納するための金封袋構造に適用することが可能である。
【符号の説明】
【００２８】
１０  金封袋
１１  熨斗紙部の外側面部
１２  熨斗
１３  熨斗紙部
１３ａ熨斗紙部の（幅方向一端側）半部
１４  熨斗紙部の内側面部
１５  紙幣
１６  紙幣収納部
１７  外側シート
１８  外側シートの内側面部
１９  内側シート及び外側シートの幅方向一端部
２０  内側シート及び外側シートの下端部
２１  内側シート
２２  内側シート及び外側シートの上端部
２３  内側シート及び外側シートの幅方向他端部
２４  折り曲げ線
２５  上端折曲げ代部
２６  折り曲げ線
２７  下端折曲げ代部
２８  折り曲げ線
２９  側端折曲げ代部
３０  水引
３１  金額数字
３２  内側シートの反外側シート側面部
３３  差出者情報記載欄
３４  金額記載欄
４０  金封袋
４１  熨斗
４２  水引
４３  熨斗紙部
４４  内封筒
４５  差出者情報記載欄
４６  金額記載欄
４７  内封筒の開口部
４８  開口部の閉じ代部
【図１】
0003166068.tif 000003
【図２】
0003166068.tif 000004
【図３】
0003166068.tif 000005